(57)【特許請求の範囲】
【請求項１】
座部と、この座部の後部に該座部に対して後方に倒伏可能に配設された背凭れ部と、この背凭れ部にこれに沿って配設され、その下方部に前記背凭れ部の下端よりも更に下方位置まで延びる延長部を有するロングガイドレールと、このロングガイドレールにこれに沿って移動可能に設けられた施療子を備える駆動機構と、この駆動機構をロングガイドレールに沿って往復移動できるように制御する制御機構とを備え、背凭れ部の倒伏時にロングガイドレールの延長部を座部の下方に入り込ませる椅子型マッサージ構造において、
前記制御機構を、検知手段により前記背凭れ部の起倒角度を検知して前記駆動機構の移動範囲を制御可能に構成し、前記背凭れ部の最終倒伏位置以外では駆動機構を背凭れ部範囲内を移動するように制御させるとともに、前記背凭れ部の最終倒伏位置で駆動機構を背凭れ部上部から座部前部に亘る広範囲を移動するように制御させることを特徴とする椅子型マッサージ構造。
【請求項２】
前記ロングガイドレールを、上方を前記背凭れ部と略同形状で下方の延長部を直線的な棒状に形成するとともに、前記背凭れ部の主枠部材にこれと一定間隔を存して平行に配設し、前記背凭れ部の最終倒伏位置で前記ロングガイドレールの延長部を座部の下面と一定間隔を存して略平行に位置させることを特徴とする請求項１記載の椅子型マッサージ構造。
【発明の詳細な説明】
【０００１】
【発明の属する技術分野】
本発明は、背凭れ部から座部及び足載台にかけての全身をマッサージ可能にした椅子型マッサージ構造に関する。
【０００２】
【従来の技術】
従来の椅子型マッサージ装置は、例えば特開昭５７−１６４０６０号公報に示されたように、座部、背もたれ部、足載せ部からなる椅子本体のうち、背もたれ部にガイドレールに沿って上下方向に移動するローラ式マッサージ機構を設けてなり、駆動装置を起動させると、そのマッサージローラが背もたれ部にもたれている使用者の背中に沿って回転しながら往復移動することによりマッサージするものであった。
【０００３】
また、特公平１−２４５０４号公報に示された椅子型マッサージ装置も、座部と背もたれ部とを備え、背もたれ部にガイドレールに沿って移動するローラー式の施療部材が設けられると共に、この施療部材を上下方向に往復移動させる駆動装置が設けられた構成であり、使用者は、座部に座った状態で、上下方向に往復移動される施療部材により背中側のローリングマッサージが受けられるようになっているものである。
【０００４】
【発明が解決しようとする課題】
このように従来の椅子型マッサージ装置の構造では、背中を中心としてマッサージできるようにしたものが主流であり、背もたれ部にローラ式マッサージ機構を内装し、足載部に振動式マッサージ機構を設ける程度のものであるため、背中を中心としてマッサージできると共に、足のふくらはぎ部をマッサージすることができるが、腰部下部及び尻部上部、更に大腿部及び尻部分についてはマッサージできず、背中から足までの全身をマッサージできるものではなかった。
【０００５】
本発明は上記事情に鑑みてなされたものであり、背凭れ部を起立させている状態では、通常の背中部分及び首筋や腰部下部及び尻部上部の広範囲のマッサージが行え、背凭れ部を倒伏させた状態では、首筋から膝下部分に亘る広い範囲をマッサージできるようにする椅子型マッサージ構造を提供することを目的としている。
【０００６】
【問題を解決するための手段】
すなわち、本発明の椅子型マッサージ構造は、上記目的を達成するため、座部と、この座部の後部に該座部に対して後方に倒伏可能に配設された背凭れ部と、この背凭れ部にこれに沿って配設され、その下方部に前記背凭れ部の下端よりも更に下方位置まで延びる延長部を有するロングガイドレールと、このロングガイドレールにこれに沿って移動可能に設けられた施療子を備える駆動機構と、この駆動機構をロングガイドレールに沿って往復移動できるように制御する制御機構とを備え、背凭れ部の倒伏時にロングガイドレールの延長部を座部の下方に入り込ませる椅子型マッサージ構造において、前記制御機構を、検知手段により前記背凭れ部の起倒角度を検知して前記駆動機構の移動範囲を制御可能に構成し、前記背凭れ部の最終倒伏位置以外では駆動機構を背凭れ部範囲内を移動するように制御させるとともに、前記背凭れ部の最終倒伏位置で駆動機構を背凭れ部上部から座部前部に亘る広範囲を移動するように制御させることを特徴とする。
【０００７】
また、本発明の椅子型マッサージ構造は、前記ロングガイドレールを、上方を前記背凭れ部と略同形状で下方の延長部を直線的な棒状に形成するとともに、前記背凭れ部の主枠部材にこれと一定間隔を存して平行に配設し、前記背凭れ部の最終倒伏位置で前記ロングガイドレールの延長部を座部の下面と一定間隔を存して略平行に位置させることを特徴とする。
【００１２】
【作用】
本発明の椅子型マッサージ構造は、座部と、この座部の後部に該座部に対して後方に倒伏可能に配設された背凭れ部と、この背凭れ部にこれに沿って配設され、その下方部に前記背凭れ部の下端よりも更に下方位置まで延びる延長部を有するロングガイドレールと、このロングガイドレールにこれに沿って移動可能に設けられた施療子を備える駆動機構と、この駆動機構をロングガイドレールに沿って往復移動できるように制御する制御機構とを備え、背凭れ部の倒伏時にロングガイドレールの延長部が座部の下方に入り込ませる椅子型マッサージ構造において、前記制御機構を、検知手段により前記背凭れ部の起倒角度を検知して前記駆動機構の移動範囲を制御可能に構成し、前記背凭れ部の最終倒伏位置以外では駆動機構を背凭れ部範囲内を移動するように制御させるとともに、前記背凭れ部の最終倒伏位置で駆動機構を背凭れ部上部から座部前部に亘る広い範囲を移動するように制御させるため、背中を中心とした通常のマッサージ構造とは異なり、首筋から膝下部分に亘る広い範囲のマッサージが可能であると同時に、背凭れ部が最終倒伏位置以外では駆動機構は自動的に背凭れ部範囲以外に移動しなくなり、施療子の無駄な移動を防止することができるものである。
【００１３】
また、本発明の椅子型マッサージ構造は、前記ロングガイドレールを、上方を前記背凭れ部と略同形状で下方の延長部を直線的な棒状に形成するとともに、前記背凭れ部の主枠部材にこれと一定間隔を存して平行に配設し、前記背凭れ部の最終倒伏位置で前記ロングガイドレールの延長部を座部の下面と一定間隔を存して略平行に位置させるため、施療子を施療部位にソフトな感覚で当接することができて心地良いマッサージが受けられるものである。
【００１９】
【発明の実施の形態】
以下、本発明の椅子型マッサージ構造を、図面に示す一実施例に基づき、これを詳細に説明する。
本発明の椅子型マッサージ構造は、背凭れ部１と座部２とを備え、該背凭れ部１内に背凭れ部１の下方位置まで延びる延長部３１を有するロングガイドレール３を配設すると共に、該ロングガイドレール３に施療子４１を備えた駆動機構４を制御機構で制御してロングガイドレール３に沿って移動可能に設けて構成している。
【００２０】
前記背凭れ部１は、前記座部２の後部で９０度乃至１８０度の範囲を起伏するよう構成したものであり、該背凭れ部１の枠組みを構成する主枠部材１１は、図１乃至図３に示したように、その中央部を人体の背中形状に沿う曲面に形成し、上部端を鍵状に湾曲させた頭部保持部１１１を形成し、下部端を前方座部２の下位へ稍入り込むよう湾曲させて前記座部２と枢着される係合部１１２を形成した構成にしており、使用者が可及的にリラックスできる形状に人間工学に基づき計算して製作している。
【００２１】
前記座部２は、その主枠部材２１の後部端が前記背凭れ部１の係合部１１２と枢着されており、該主枠部材２１の前部端を稍下方へ湾曲形成している。
【００２２】
図中２２は、前記座部２の前方位置で、上下に出没自在に配備された足載台であり、該足載台２２の下部には振動機構やローリング機構の他揉み機構・叩き機構等の任意な駆動機構を配備することができる。
【００２３】
前記ロングガイドレール３は前記背凭れ部１の両側或いは主枠部材１１に一定間隔を存して平行に配設されたものであり、該ロングガイドレール３は、上方が前記背凭れ部１と略同形状で下方の延長部３１が略直線的な棒状に形成され、該ロングガイドレール３の一対を前記背凭れ部１の両側上部と両側下部で一定間隔を存して固定部材１２で固定し、両ロングガイドレール３・３が前記背凭れ部１と同調して、背凭れ部１の倒伏時にロングガイドレール３の延長部３１が座部２の下部に入り込み、最終倒伏位置で該座部２下面或いは座部２の主枠部材２１と一定間隔を存して略平行になるようにしている。
【００２４】
前記駆動機構４は、従来と同様の振動機構やローリング機構の他揉み機構・叩き機構等のマッサージを行い得る機構のものであり、該駆動機構４は前記ロングガイドレール３に沿って、上下に昇降動できるように構成している。
【００２５】
前記駆動機構４には、検知手段により背凭れ部１の起倒角度を検知して該駆動機構４の移動範囲を制御する制御機構が設けられており（図示せず）、該制御機構により、前記背凭れ部１の最終倒伏位置以外では背凭れ部１の主枠部材１１範囲内を移動し、前記背凭れ部１の最終倒伏位置で背凭れ部１の主枠部材１１上部と座部２の主枠部材２１先端部間の広範囲を移動するようにしている。
【００２６】
前記背凭れ部１の起倒角度を検知する検知手段は、本実施例では、例えば図２に示したように座部２の先端部に検知部材５を設けて、座部２の先端部と検知部材５とが接する事で検知するようにしている。
【００２７】
尚、この検知手段は、背凭れ部１と座部２と枢着部に検知部材５を設けることで背凭れ部１の起立角度を検知する手段であっても良く、また、この部位にリミットスイッチを設けて検知する手段であっても良く、これ以外でもどのような方法で有っても良い事は言及するまでもない。
【００２８】
また、前記検知手段は、背凭れ部１の起立角度を検知するだけでなく、施療者の着座を検知する機構を具備させても良く、これにより、施療者の着座を検知して、所定時間（数十秒）が経過すれば、自動的に電源をオンさせて、施療を開始し、例えば１５分間の施療後や施療者が座部２から離れた状態で、即座に施療を停止させるようにする事もできる。
【００２９】
以上のように構成された本発明の椅子型マッサージ構造は、施療者が座部２に着座して背凭れ部１に凭れるだけで良く、背凭れ部１を最終倒伏位置以外での起立させた状態では、検知部材５（検知手段）により背凭れ部１の起倒角度を検知して、背凭れ部１の上部（頭部及び首筋部）から背中部分及び下部（腰部下部及び尻部上部）の広範囲を振動機構やローリング機構の他揉み機構・叩き機構等によるマッサージを行う事ができる。
【００３０】
また、本発明の椅子型マッサージ構造は、施療者が座部２に着座して背凭れ部１に凭れて、背凭れ部１を最終倒伏位置に倒伏させた状態では、ロングガイドレール３の延長部３１が座部２の下部に入り込み、検知部材５（検知手段）がこの背凭れ部１の倒伏角度（約１８０度の位置）を検知して、背凭れ部１の上部（頭部及び首筋部）から背中部分及び下部（腰部下部及び尻部上部）を振動機構やローリング機構の他揉み機構・叩き機構等によるマッサージを行うと共に、これに連続して、座部２の下面部（尻部及び膝下部）に亘る広範囲を、振動機構やローリング機構の他揉み機構・叩き機構等によるマッサージを行うことができる。
【００３１】
【発明の効果】
よって、本発明の椅子型マッサージ構造は、背凭れ部に背凭れ部の下方位置まで延びる延長部を有するロングガイドレールを配設すると共に、該ロングガイドレールに施療子を備えた駆動機構をこれに沿って移動可能に設け、該駆動機構を制御機構で制御するよう構成しているため、背中を中心とした従来のマッサージ機の構造とは異なり、背凭れ部を最終倒伏位置以外での起立させた状態では、背凭れ部の起倒角度を検知して、従来と同様の背中部分のマッサージに加え、従来のものではマッサージし得ない、腰部下部及び尻部上部、更に大腿部及び尻部の広範囲を振動機構やローリング機構の他揉み機構・叩き機構等の任意の機構による適格なマッサージを行う事ができる。
【００３２】
更に本発明は、上記のように構成しているため、背凭れ部を最終倒伏位置に倒伏させた状態では、ロングガイドレールの延長部が座部２の下部に入り込み、該背凭れ部の倒伏角度を検知して、従来と同様の背中部分のマッサージに加え、従来のものではマッサージし得ない、腰部下部及び尻部上部、更に大腿部及び尻部の広範囲を振動機構やローリング機構の他揉み機構・叩き機構等による適格なマッサージを行う事ができると共に、座部の下面部の尻部及び膝下部に亘る広範囲を、これに連続して、振動機構やローリング機構の他揉み機構・叩き機構等の任意の機能による適格なマッサージを行うことができる。
【図面の簡単な説明】
【図１】本発明の椅子型マッサージ構造における背凭れ部の最終倒伏位置以外の状態の一実施例を示す説明図である。
【図２】本発明の椅子型マッサージ構造における背凭れ部を最終倒伏位置に倒伏させた状態の一実施例を示す説明図である。
【図３】本発明の椅子型マッサージ構造の使用状態を示す説明図である。
【符号の説明】
１    背凭れ部
１１    主枠部材
２    座部
２１    主枠部材
３    ロングガイドレール
３１    延長部
４    駆動機構
４１    施療子
５    検知部材（検知手段）
【図１】
0004174125.tif 000002
【図２】
0004174125.tif 000003
【図３】
0004174125.tif 000004